(57)【要約】【課題】従来、寝たきり状態の要介護者に用いる排泄自動洗浄おむつは、斜面部内に固定された洗浄噴射ノズルから肛門部に向け噴射洗浄する仕組みであったが、排便後の洗浄時間の設定基準が曖昧であり、これらの不便を改善することが課題であった。【解決手段】  腹筋圧センサ又は便臭センサと半導体素子とを連動させ、更にタイムの作動により洗浄器伸縮装置が肛門部に向け温水洗浄で自動的に外部に伸び、先端に取付けた噴射ノズルから所定時間噴射させた後、自動的に斜面部内に縮み納まる機能を有したことで、寝たきり状態の要介護者に利便性の介護が可能になる。【選択図】図１
2011000276.tif 000002
【特許請求の範囲】
【請求項１】
自動おむつの裏面内側の内部に設置するもので、給水タンクと接続した固定台の上部にＬ型脱落凸材と保持枠を設けたスライド板を取付け、固定台裏面に中性仕様両回回転モーターを備え、洗浄パイプ内蔵の伸縮器の底面中央に歯車回転用溝と両サイドに脱落凹溝を設けて、スライド板に組込み一体として組合わせた洗浄器伸縮装置として形成し、該モーターに付けた歯車と回転用溝に噛み合わせ、肛門部へ向けて伸縮スライドさせる機能を特徴とした排泄自動洗浄おむつ。
【請求項２】
前記請求項１記載の発明において、洗浄器伸縮装置をお尻の荷重から保護するため、プラスチック等で保護板を形成し、給水タンクの上部面及び下部面から夫々接続させ取付け、おむつ斜面部まで伸ばした保護板には円筒凸型の掛け具を付け、要所に設けた掛け具にバネを填め込むことで所定の空間を保ち、洗浄器伸縮装置を維持する構造を特徴とした排泄自動洗浄おむつ。
【発明の詳細な説明】
【技術分野】
【０００１】
本発明は一般に、排泄自動洗浄おむつに関する。より詳細には、被介護者の手を借りずに要介護者の排泄物の処理をすることができる排泄自動洗浄おむつ。
【背景技術】
【０００２】
従来、寝たきり状態の要介護者に用いられるおむつは、これまでのおむつ斜面部には、噴射ノズルを設け無伸縮で固定されているため肛門部への洗浄が満足でなく、更に、腹筋圧センサ又は便臭センサとの連動もなく、排便後の肛門部洗浄タイミングと洗浄時間の設定にも課題があったが、洗浄器伸縮装置を備えた排泄自動洗浄おむつの改善で、要介護者の肛門部を容易に洗浄する装置の提供が必要であった。
【０００３】
【特許文献１】特願２００８−２２４２８２
【発明の開示】
【発明が解決しようとする課題】
【０００４】
寝たきり状態の要介護者に対して、被介護者が厄介とする課題に、とりわけ排泄物処理は、汚物と臭気が伴うため、最も面倒で憂慮される介護とされている。そこで自動おむつに内蔵の腹筋圧センサ又は便臭センサの作動で排便後において、一定時間排便兆候作動を示さない時に、半導体素子とタイム連動の作動により、洗浄器伸縮装置に内蔵の噴射孔が肛門部に向け自動的に外部に伸び、先端の噴射孔から所定時間噴射させた後、自動的に斜面部内に縮み納まる機能により、深刻な社会問題となっている課題が解決される。
【０００５】
本発明は、このような状況に鑑みて案出されたものであって、交換の手間を省く洗浄器伸縮装置を備えた排泄自動処理おむつを提供することを目的としている。
【課題を解決するための手段】
【０００６】
本願請求項１に記載の、自動おむつの裏面内側の内部に設置するもので、給水タンクと接続した固定台の上部にＬ型脱落凸材と保持枠を設けたスライド板を取付け、固定台裏面に中性仕様両回回転モーターを備え、洗浄パイプ内蔵の伸縮器の底面中央に歯車回転用溝と両サイドに脱落凹溝を設けて、スライド板に組込み一体として組合わせた洗浄器伸縮装置として形成し、該モーターに付けた歯車と回転用溝に噛み合わせ、肛門部へ向けて伸縮スライドさせる機能を特徴とするものである。
【０００７】
本願請求項２に記載の、前記請求項１記載の発明において、洗浄器伸縮装置をお尻の荷重から保護するため、プラスチック等で保護板を形成し、給水タンクの上部面及び下部面から夫々接続させ取付け、おむつ斜面部まで伸ばした保護板には円筒凸型の掛け具を付け、要所に設けた掛け具にバネを填め込むことで所定の空間を保ち、洗浄器伸縮装置を維持する構造を特徴とするものである。
【発明の効果】
【０００８】
本発明の排泄自動洗浄おむつは、半導体素子とタイム連動の作動により、洗浄器伸縮装置が肛門部に向け温水洗浄のため自動的に外部に伸び、先端に取付けた噴射ノズルから所定時間噴射させた後、自動的に斜面部内に縮み納まる機能とすることで効率よい洗浄効果が可能である。
【発明を実施するための最良の形態】
【０００９】
次に図面を参照して、本発明の好ましい実施の形態に係る排泄自動洗浄おむつについて詳細に説明する。図１は、本発明の好ましい実施の形態に係る排泄自動洗浄おむつを示した標準姿図である。前面内側防水厚被覆２６と裏面内側耐熱緩衝材２５には断熱製クッション材を用い、裏面内側防水被覆２７にはポリエステル超高密度防水生地等の合成樹脂繊維を用い形成する。又、お尻部背面側の腰周りから横腹部に泡給水タンク１７と温水洗浄給水タンク１８と排便水給水タンク１９とを備え、公知の自動開閉装置を用いたパイプとし、これら部材をプラスチック等合成樹脂製又は鋼材で形成しやや長方形等とし背面と横腹部に合う形状に組み立てる。おむつ斜面部１５の中央部分に肛門部に向け、給水タンクから接続した固定台１を取付け、その上部にスライド板５を取付け固定し、スライド板には洗浄パイプ内蔵の伸縮器１０を組込み一体として組合わせた洗浄器伸縮装置を形成する。
【００１０】
図１において、おむつ斜面部１５には温風パイプと泡水パイプの各噴射ノズルと尿・便臭センサと湿気センサが取付けられ、腹筋圧センサで排便兆候を示す場合と、腹筋力の兆候なく軟く排便する場合が想定されることから、腹筋圧センサと共に便臭センサとも中性仕様両回回転モーターと半導体素子内蔵で連動させ、洗浄器伸縮装置を伸縮スライドさせる機能とする。
【００１１】
図１において更に説明する。おむつ斜面部１５内に設けた洗浄器伸縮装置と腹筋圧センサ又は便臭センサとを半導体素子に連動させ、排便後において一定時間排便しないか兆候作動を示さない時に、洗浄器伸縮装置が自動的に斜面外に伸び、所定時間肛門部に洗浄噴射させた後、自動的に斜面部内に縮み納まる機能とするものである。
【００１２】
図２は、洗浄器伸縮装置の固定台を示した標準拡大図である。固定台１は合成樹脂製又は鋼材で加工し、給水タンクとの接続部２はネジ止等防水ゴムを用い固定させ取付ける。固定台１の裏面に中性仕様両回回転モーター４を取付け固定させモーターには歯車を付け、固定台及びスライド板歯車回転窓９に歯車が出る構造とする。中性仕様両回回転モーターは小型製を用い予め低速回転に調整し前進及び後進にスライドさせる機能のモーターは、前進の場合は保持枠６まで伸びた時点（例えば、３〜４cm程度）で前進ストッパーの役割をし、自動的にストップし洗浄時間（予め設定した時間）が経過すると自動的に後進し、後部ストッパー８の作動で自動的にストップする仕組みである。
【００１３】
図３は、洗浄器伸縮装置のスライド板を示した標準拡大図である。スライド板５は合成樹脂製又は鋼材で加工し形成する。スライド板５の保持枠６はこの中に洗浄パイプ内蔵の伸縮器１０を入れ、しかもＬ型脱落凸材７にはサイド脱落凹溝１２に挿入し、スライドによって洗浄パイプ内蔵の伸縮器１０が脱落しないようにしている。又、スライドで後進したとき後部ストッパー８によって自動的にストップし停止する機能としている。更に、スライド板歯車回転窓９によって固定台とも固定台歯車回転窓が同一位置となり中性仕様両回回転モーターの歯車が出て作動する。そして、このスライド板５は固定台１の上部に載せ取付け固定し作動させる。
【００１４】
図３において、スライド板５に保持枠６の外に洗浄器付伸縮装置１０の収納にたいし、装置を保護するため保護カバー２９を被せる、この保護被覆は丸型又は角型のいづれかとし、しかし保持枠６から被せるか又は保持枠から隙間を空けて設置するようにする。但し寝たきり状態において、保護カバー２９に直接お尻により荷重を掛けないようにするため、裏面内側防水被覆の内部に荷重が掛かっても圧縮されないよう保護板３０を用い掛け具３１にバネの挿入で補強するものである。
【００１５】
図４は、洗浄器伸縮装置の洗浄パイプ内蔵の伸縮器を示した標準拡大図である。洗浄パイプ内蔵の伸縮器１０には銅製等の温水洗浄パイプ１３を配管しその先端に噴射ノズル１１を露出させ、装置自体は合成樹脂製又は鋼材で形成する。又、装置の先端部はおむつ斜面部１５の勾配と同じくし、斜面内部に収納した時はその周囲に防水の役割をする防水ゴム１６を取付けた伸縮装置はスライド板５の保持枠６を通してＬ型脱着凸材７に挿入しセットする。又、温水洗浄パイプ１３にはスライドに際して自由に可動できる可撓パイプを１〜２箇所を取付ける。更に、中性仕様両回回転モーター４と腹筋圧センサ又は便臭センサと半導体素子及びタイマーの内蔵を通じて連動させ、排便後において一定時間（例えば排便後３〜５分）排便しないか、排便兆候作動を示さない場合に洗浄器伸縮装置が自動的に作動し肛門部に向け斜面外に伸び、所定時間（例えば５〜１０秒程度）温水洗浄で噴射させた後、自動的に斜面内部に縮み収納さす機能とする。
【００１６】
図５は、洗浄器伸縮装置の洗浄パイプ内蔵の伸縮器を示した標準断面図である。洗浄パイプ内蔵の伸縮器１０の底部中心に底面歯車回転用溝１４を付け、両サイドにサイド脱落凹溝１２を設け、先端部に噴射ノズル１１を露出させ、又、装置の中には銅製等の温水洗浄パイプ１３を配管した構造の洗浄器付伸縮装置を形成する。
【産業上の利用可能性】
【００１７】
図６は、おむつお尻部裏側の保護板とバネの構造を示した標準断面図である。おむつお尻部裏側内部に設置の洗浄器付伸縮装置１０をお尻の荷重から保護する必要から、プラスチック等の強固な材質で保護板３０をお尻の体型に概ね合わせ形成し、泡等給水タンク１７の上部面及び下部面から各々接続させ取付けて、おむつ斜面部１５まで伸ばした保護板３０には円筒凸型の掛け具３１を付け、要所に設けた掛け具３１に強力なバネ３２を填め込み空間を維持する（例えば、給水タンクの厚さが５cmとした場合、保護板と保護板との空間隔も５cmとなり、空間を支えるのをバネとする）又、保護板３０の上面には裏面内側耐熱緩衝材２５と、この表面に裏面内側防水被覆２６で覆い、保護板３０下面には裏面外側クッション材３３とその表面には裏面外側被覆２８で覆い、洗浄器伸縮装置に荷重が加わってもお尻部裏側の空間が維持される構造とするものである。この空間により各種の配線と配管等が製造段階で組立てが容易となり、一方、前面側の厚被覆内部にも保護板によるバネを活用することもできる。
【００１８】
本発明は、超高齢化社会に伴い痴呆症等で寝たきり状態の要介護者に提供する洗浄器伸縮装置を備えた排泄自動洗浄おむつであり、交通事故や手術等で一時的に歩行困難となった患者にも利用できることは明白である。
【図面の簡単な説明】
【００１９】
【図１】本発明の好ましい実施の形態の洗浄器伸縮装置を示した姿図である。
【図２】洗浄器伸縮装置の固定台を示した拡大図である。
【図３】洗浄器伸縮装置のスライド板を示した拡大図である。
【図４】洗浄器伸縮装置の洗浄パイプ内蔵の伸縮器を示した拡大図である。
【図５】洗浄器伸縮装置の洗浄パイプ内蔵の伸縮器を示した断面図である。
【図６】おむつお尻部の保護板とバネの構造を示した断面図である。
【符号の説明】
【００２０】
１  固定台
２  泡給水タンクとの接続部
３  固定台歯車回転窓
４  中性仕様両回回転モーター
５  スライド板
６  保持枠
７  Ｌ型脱落凸材
８  後部ストッパー
９  スライド板歯車回転窓
１０  洗浄パイプ内蔵の伸縮器
１１  噴射ノズル
１２  サイド脱落凹溝
１３  洗浄パイプ
１４  底面歯車回転用溝
１５  おむつ斜面部
１６  防水ゴム
１７  泡給水タンク
１８  温水洗浄給水タンク
１９  便排水給水タンク
２０  配管配線用空間部
２１  腹筋圧センサ
２２  半導体素子制御部
２３  便尿排出口
２４  便尿仕切壁
２５  裏面内側耐熱緩衝材
２６  前面内側防水被覆
２７  裏面内側防水被覆
２８  裏面外側被覆
２９  保護カバー
３０  保護板
３１  掛け具
３２  バネ
３３  裏面外側クッション材
【図１】
2011000276.tif 000003
【図２】
2011000276.tif 000004
【図３】
2011000276.tif 000005
【図４】
2011000276.tif 000006
【図５】
2011000276.tif 000007
【図６】
2011000276.tif 000008
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
自動おむつの裏面内側の内部に設置するもので、給水タンクと接続した固定台にＬ型凸材と保持枠とを設けたスライド板を固定台の上部に取付け、固定台裏面に両回転モーターを備え、洗浄パイプ内蔵の伸縮器の底面中央に歯車回転用溝と両サイドに凹溝を設けて、スライド板に組込み一体として組み合わせた構造を洗浄器伸縮装置として形成し、該モーターに付けた歯車を回転用溝に噛み合わせ、肛門部へ向けて両回転モーターによって前進後進の作動で伸縮スライドさせる機能を特徴とした排泄自動洗浄おむつ。
【請求項２】
前記請求項１記載の発明において、洗浄器伸縮装置をお尻の荷重から保護するため、お尻部裏側の空間に保護板を形成させ、給水タンクの上部面及び下部面から夫々接続させ取付け、おむつ斜面部まで伸ばした保護板には円筒凸型の掛け具を取付け、要所に設けた掛け具にバネを填め込むことで所定の空間を保ち、洗浄器伸縮装置を維持する構造を特徴とした排泄自動洗浄おむつ。
【手続補正２】
【補正対象書類名】明細書
【補正対象項目名】０００６
【補正方法】変更
【補正の内容】
【０００６】
本願請求項１に記載の、自動おむつの裏面内側の内部に設置するもので、給水タンクと接続した固定台にＬ型凸材と保持枠とを設けたスライド板を固定台の上部に取付け、固定台裏面に両回回転モーターを備え、洗浄パイプ内蔵の伸縮器の底面中央に歯車回転用溝と両サイドに凹溝を設けて、スライド板に組込み一体として組み合わせた構造を洗浄器伸縮装置として形成し、該モーターに付けた歯車を回転用溝に噛み合わせ、肛門部へ向けて両回転モーターによって前進後進の作動で伸縮スライドさせる機能を特徴とするものである。
【手続補正３】
【補正対象書類名】明細書
【補正対象項目名】０００７
【補正方法】変更
【補正の内容】
【０００７】
本願請求項２に記載の、前記請求項１記載の発明において、洗浄器伸縮装置をお尻の荷重から保護するため、お尻部裏側の空間に保護板を形成させ、給水タンクの上部面及び下部面から夫々接続させ取付け、おむつ斜面部まで伸ばした保護板には円筒凸型の掛け具を取付け、要所に設けた掛け具にバネを填め込むことで所定の空間を保ち、洗浄器伸縮装置を維持する構造を特徴とするものである。
【手続補正４】
【補正対象書類名】明細書
【補正対象項目名】０００９
【補正方法】変更
【補正の内容】
【０００９】
次に図面を参照して、本発明の好ましい実施の形態に係る排泄自動洗浄おむつについて詳細に説明する。図１は本発明の好ましい実施の形態に係る排泄自動洗浄おむつを示した標準姿図である。前面内側防水被覆２６と裏面内側耐熱緩衝材２５には断熱性クッション材を用い、裏面内側防水被覆２７にはポリエステル超高密度防水生地等の合成樹脂繊維を用い形成する。又、お尻部背面側の腰周りから横腹部に泡給水タンク１７と温水洗浄給水タンク１８と排便水給水タンク１９とを備え、公知の自動開閉装置を用いたパイプとし、これら部材をプラスチック等合成樹脂製又は鋼材で形成しやや長方形等とし背面と横腹部に合う形状に組み立てる。又、給水タンクと接続した固定台１にＬ型凸材７と保持枠６とを設けたスライド板５を固定台１の上部に設け、固定台裏面に両回転モーター４を備え、洗浄パイプ内蔵の伸縮器１０の底面中央に歯車回転用溝１４と両サイドに凹溝１２を設けて、スライド板５に組込み一体として組み合わせて構造にした装置を洗浄器伸縮装置を形成する。
【手続補正５】
【補正対象書類名】明細書
【補正対象項目名】００１０
【補正方法】変更
【補正の内容】
【００１０】
図１において、おむつ斜面部１５には温風パイプと泡水パイプの各噴射ノズルと尿・便臭センサと湿気センサが取付けられ、腹筋圧センサで排便兆候を示す場合と、腹筋力の兆候なく軟く排便する場合が想定されることから、腹筋圧センサと共に便臭センサとも公知の両回転モーターと半導体素子内蔵で連動させ、洗浄器伸縮装置を伸縮スライドさせる機能とする。
【手続補正６】
【補正対象書類名】明細書
【補正対象項目名】００１２
【補正方法】変更
【補正の内容】
【００１２】
図２は、洗浄器伸縮装置の固定台を示した標準拡大図である。固定台１は合成樹脂製又は鋼材で加工し、給水タンクとの接続部２はネジ止等防水ゴムを用い固定させ取付ける。固定台１の裏面に両回転モーター４を取付け固定させモーターには歯車を付け、固定台及びスライド板歯車回転窓９に歯車が出る構造とする、両回転モーターは小型を用い予め低速回転に調整し前進又は後進にスライドさせる機能のモーターは、前進の場合は保持枠６まで伸びた時点（例えば、３〜４cm程度）で前進ストッパーの役割をし、自動的にストップし洗浄時間（予め設定した時間）が経過すると自動的に後進し、後部ストッパー８の作動で自動的にストップする仕組みである。
【手続補正７】
【補正対象書類名】明細書
【補正対象項目名】００１３
【補正方法】変更
【補正の内容】
【００１３】
図３は、洗浄器伸縮装置のスライド板を示した標準拡大図である。スライド板５は合成樹脂製又は鋼材で加工し形成する。スライド板５の保持枠６はこの中に洗浄パイプ内蔵の伸縮器１０を入れ、しかもL型凸材７にはサイド凹溝１２に挿入し、スライド作動によって洗浄パイプ内蔵の伸縮器１０が脱落しないようにしている。又、スライドで後進したとき後部ストッパー８によって自動的にストップし停止する公知の機能としている。更に、スライド板歯車回転窓９によって固定台１とも固定台歯車回転窓３が同一位置となり両回転モーターの歯車が出て作動する。スライド板５は固定台１の上部に載せ取付け固定し作動をさせる。
【手続補正８】
【補正対象書類名】明細書
【補正対象項目名】００１５
【補正方法】変更
【補正の内容】
【００１５】
図４は、洗浄器伸縮装置の洗浄パイプ内蔵の伸縮器を示した標準拡大図である。洗浄パイプ内蔵の伸縮器１０には銅製等の温水洗浄パイプ１３を配管し、その先端に噴射ノズル１１を露出させ、装置自体は合成樹脂製又は鋼材で形成する。又、装置の先端部はおむつ斜面部１５勾配と同じくし、斜面内部に収納した時はその周囲に防水の役割をする防水ゴム１６を取付ける。洗浄器伸縮装置はスライド板５の保持枠６を通してL型凸材７に挿入しセットする。又、温水洗浄パイプ１３にはスライドに際して自由に可動できる可撓パイプを１〜２箇所を取付ける。更に、両回転モーター４と腹筋圧センサ又は便臭センサと半導体素子及びタイマーの内蔵を通じて連動させ、排便後において一定時間（例えば排便後３〜５分）排便しないか、又は排便兆候作動を示さない場合に洗浄器伸縮装置が自動的に作動し肛門部に向け斜面外に伸び、所定時間（例えば５〜１０秒程度）温水洗浄で噴射させた後、自動的に斜面内部に縮み収納する機能とする。
【手続補正９】
【補正対象書類名】明細書
【補正対象項目名】００２０
【補正方法】変更
【補正の内容】
【００２０】
１    固定台
２    泡給水タンクとの接続部
３    固定台歯車回転窓
４    両回転モーター
５    スライド板
６    保持枠
７    L型凸材
８    後部ストッパー
９    スライド板歯車回転窓
１０  洗浄パイプ内蔵の伸縮器
１１  噴射ノズル
１２  サイド凹溝
１３  洗浄パイプ
１４  底面歯車回転用溝
１５  おむつ斜面部
１６  防水ゴム
１７  泡給水タンク
１８  温水洗浄給水タンク
１９  便排水給水タンク
２０  配管配線用空間部
２１  腹筋圧センサ
２２  半導体素子制御部
２３  便尿排出口
２４  便尿仕切壁
２５  裏面内側耐熱緩衝材
２６  前面内側防水被覆
２７  裏面内側防水被覆
２８  裏面外側被覆
２９  保護カバー
３０  保護板
３１  掛け具
３２  バネ
３３  裏面外側クッション材